(57)【要約】【課題】乳児の沐浴を行うためのヘビーバスにおいて、情況に応じて適宜変形して一番使用しやすい状態にでき、使用者に掛かる負担も軽減できるようにすること。【解決手段】乳児を収容可能な大きさの凹部６を形成する周壁部７の外周面に、上記周壁部７から掛かる荷重および／またはベビーバス利用者から掛かる荷重を支える支持部材３，４，５を、取り付け手段１１，１５を介して着脱可能に取り付けたベビーバス１。【選択図】    図１
2004166965.tif 000002
【特許請求の範囲】
【請求項１】
乳児を収容可能な大きさの凹部を形成する周壁部の外周面に、上記周壁部から掛かる荷重および／またはベビーバス利用者から掛かる荷重を支える支持部材を、取り付け手段を介して着脱可能に取り付けた
ベビーバス。
【請求項２】
前記周壁部を有する本体部材および／または支持部材を、流体の注入で膨らむ膨張袋体で形成した
請求項１に記載のベビーバス。
【請求項３】
前記取り付け手段が面ファスナである
請求項１または請求項２に記載のベビーバス。
【請求項４】
ベビーバスの外周面に沿わして取り付ける取り付け面を形成するとともに、ベビーバスから掛かる荷重および／またはベビーバス利用者から掛かる荷重を支える支持面を形成した
支持部材。
【請求項５】
前記ベビーバスの周壁部の傾倒を防止すべく周壁部から掛かる荷重を支える支持面を上部に形成した
請求項４に記載の支持部材。
【請求項６】
前記ベビーバス使用者の腕を支持可能な高さに、上記腕から掛かる荷重を支持する支持面を形成した請求項４に記載の支持部材。
【請求項７】
流体の注入で膨らむ膨張袋体で形成した
請求項４から請求項６のうちのいずれか一項に記載の支持部材。
【発明の詳細な説明】
【０００１】
【発明の属する技術分野】
この発明は、乳児の沐浴に使用するベビーバスに関する。
【０００２】
【従来の技術】
ベビーバスには、硬質の合成樹脂等で形成されたものと、空気を入れて膨らませる柔軟な合成樹脂製膨張袋体で形成されたものがある。
【０００３】
前者の場合には、持ち運びが不便であるとともに、使用しないときでも場所を取る不都合がある。
【０００４】
後者の場合には、上記難点を解消できるが、材質が柔らかく、空気で膨らませて形を保っているため、形態安定性がよくないという難点がある。安定性がよくないため、乳児の体を洗う親は、片手でしっかりと乳児を支えながら洗う必要があって、負担が大きい。
【０００５】
このため、乳児の頭部を支持する頭載置部と、該頭載置部の下方でベビーバスの傾きや転倒を防止する支持部を有するものが案出されている（特許文献１参照）。
【０００６】
しかし、このベビーバスによれば、桶状の本体の周囲に頭載置部と支持部との２つが一体的に取り付けられており、これらは外方に突出しているので、ベラベラして取り扱いに苦慮することがある。例えば、ベビーバスの洗浄や乾燥に際して、頭載置部や支持部をいちいち重力に抗して動かさなければならない。また空気を抜いた後の折り畳み作業にしても、突出する頭載置部や支持部を上手に折り込まなければならない。
【０００７】
さらに上記支持部は、ベビーバスを例えば壁際で使用する場合など、使用場所によっては不要なときがあるが、そのときには、支持部のみ空気を抜いて折り畳むという作業をする必要がある。
【０００８】
【特許文献１】
特許第２９３４７２５号公報。
【０００９】
【発明が解決しようとする課題】
そこでこの発明は、情況に応じて適宜変形して一番使用しやすい状態にでき、使用者に掛かる負担も軽減できるようにすることを主たる課題とする。
【００１０】
【課題を解決するための手段】
そのための手段は、乳児を収容可能な大きさの凹部を形成する周壁部を設け、該周壁部の外周面に、上記周壁部から掛かる荷重および／またはベビーバス利用者から掛かる荷重を支える支持部材を、取り付け手段を介して着脱可能に取り付けたベビーバスであることを特徴とする。
【００１１】
支持部材の取り付け位置は、背面、側面、正面など、必要に応じて適宜選択する。
【００１２】
上記本体部材と支持部材、またはこれらのうち何れか一方を、気体や液体の流体を注入して膨らむ膨張袋体で形成すると、持ち運びや不要時の収納等に便利である。
【００１３】
前記取り付け手段には、スナップ等の適宜手段を使用するとよいが、好ましくは、面ファスナで構成するとよい。
【００１４】
別の手段は、ベビーバスの外周面に沿わして取り付ける取り付け面を形成するとともに、ベビーバスから掛かる荷重、またはベビーバス利用者から掛かる荷重を支える支持面を形成した支持部材であることを特徴とする。上記取り付け面には、例えば面ファスナなどで構成される適宜の取り付け手段を予め形成しておくとよいが、必要箇所に例えば接着などで固定できるように付属しておくもよい。
【００１５】
支持部材は例えば、前記ベビーバスの周壁部の傾倒を防止すべく周壁から掛かる荷重を支える支持面を上部に形成した支持部材や、前記ベビーバス使用者の腕を支持可能な高さに、上記腕から掛かる荷重を支持する支持面を形成した支持部材であるとよい。
【００１６】
該支持部材も、流体の注入で膨らむ膨張袋体で形成するとよい。持ち運びや不要時の収納等が便利になる。
【００１７】
【発明の効果】
以上のようにこの発明のベビーバスによれば、支持部材は取り付け手段を介して着脱自在に取り付けるので、必要な箇所に必要な支持部材を必要な時に取り付けて使用することができる。このため、情況に合った一番使用しやすい状態のベビーバスを得ることが出来る。
【００１８】
また、支持部材は一体的に形成されているのではないので、嵩張ったりせず、沐浴以外の取り扱い時、例えば洗浄乾燥や持ち運び時等に邪魔になることを防止できる。
【００１９】
ベビーバスの構成部材を膨張袋体で形成すれば、持ち運びや非使用時にコンパクトにできて便利であるが、このとき、支持部材が完全に分離できるので、コンパクト化の作業やその後の折り畳み等が簡単に行える。
【００２０】
取り付け手段を面ファスナで構成すると、押付けたり、力を加えて引き離したりするだけで着脱できるので、簡単である。
【００２１】
また、この発明の支持部材によれば、既存のベビーバスに取り付けて上述のようなベビーバスを得ることに貢献出来る。特に、ベビーバス使用者の腕を支持可能な高さに、上記腕から掛かる荷重を支持する支持面を形成すると、これまでにない使用者の負担を軽減できるベビーバスとすることができる。
【００２２】
【発明の実施の形態】
この発明の一実施の形態を、以下図面を用いて説明する。
図１は、ベビーバス１の斜視図であり、本体部材２と、これに適宜取り付ける複数の支持部材３，４，５とからなる。
【００２３】
本体部材２は、平面視略長方形をなす桶状で、乳児を収容可能な大きさの凹部６を形成する周壁部７を設けており、この周壁部７の背面側部分には、乳児の頭部を支える頭受け部８を、上方斜め後方に向けて突設している。
【００２４】
この本体部材２は、空気の注入で膨らむ膨張袋体で形成している。すなわちビニルやゴムなどの軟質シート材料を用いて袋状に形成している。一部に、空気を出し入れする空気注入口９を形成する。上記周壁部７や頭受け部８、それに周壁部７の下に位置する底面部１０は、複数のチャンバで形成しているので、上記空気注入口９はチャンバごとに設ける。チャンバの形状や配置は、図示したものに限らず、適宜設定すればよい。
【００２５】
そしてこの本体部材２の周壁部７には、面ファスナの一方１１を、接着等の適宜手段で固定している。固定位置は、周壁部７の全周にわたって設定するもよいが、正面、側面、背面の適宜位置に部分的に固定するとよい。
【００２６】
上記各支持部材３，４，５は、枕状や樽状等の適宜の形状に膨らむよう、本体部材２の場合と同様に、空気の注入で膨らむ膨張袋体で形成している。図中１２は空気注入口である。
【００２７】
図示例の各支持部材３，４，５は１つのチャンバからなる支持部材であるが、複数のチャンバからなる支持部材であるもよい。
【００２８】
また支持部材３，４，５は、複数設け、各支持部材３，４，５は大きさ、形状等をそれぞれ適宜違える。
【００２９】
これら支持部材３，４，５は、本体部材２の外周面に沿わして取り付ける取り付け面１３を形成するとともに、本体部材２の周壁部７から掛かる荷重やベビーバス利用者から掛かる荷重を支える支持面１４を形成したものである。
【００３０】
図１に示した支持部材３，４，５のうち、本体部材２の背面側に取り付ける第１支持部材３は、本体部材２が傾倒するのを防止するのに主として使用するもので、本体部材２の幅寸法に近い長さの枕状形状に形成し、上面を上記支持面１４に設定している。この支持面１４は、本体部材２に対する取り付けを行うための取り付け面１３でもあり、面ファスナの他方１５を接着等の適宜手段で固定している。第１支持部材３を本体部材２に取り付ける時には、図２に示したように、第１支持部材３の下面が本体部材２の底面部よりも下に位置するように設定するとよい。
【００３１】
図１中、本体部材２の側面に取り付ける支持部材のうち、樽状をなす第２支持部材４は、乳児を支えるベビーバス使用者の腕を支持可能な高さに形成し、その上面を、腕から掛かる荷重を支持する支持面１４に設定している。そして周面を上記取り付け面１３に設定し、その一部には、面ファスナの他方１５を接着等の適宜手段で固定している。
【００３２】
図１中の残る支持部材５は、第１支持部材３と同様に枕状で、本体部材２の周壁部７から掛かる荷重を支えるとともにベビーバス使用者から掛かる荷重を支えられるように形成している。すなわち、周面を上記支持面１４に設定し、その一部の取り付け面１３に、面ファスナの他方１５を固定している。
【００３３】
このように構成した本体部材２と支持部材３，４，５は、それぞれ空気注入口９，１２から空気を注入して膨らませれば使用できる。使用に際しては、使用場所やベビーバス使用者の体調などの情況に応じて、必要な支持部材３，４，５のみを本体部材２に対して取り付ける。
【００３４】
ベビーバス１を、広い面積を有する板の間や風呂場などで使用する場合には、図３に示したように、上記第１支持部材３を取り付けるとよい。第１支持部材３上面の、取り付け面１３でもある支持面１４は、本体部材２内のお湯や乳児によって周壁部７に傾倒方向に掛かる荷重を支える。第１支持部材３の下面は床面に圧接し、周壁部７を弾力的に支える。
【００３５】
また乳児が重い場合や、沐浴をさせる親などの使用者が腕に負担を感じる場合には、図３に示したように、第２支持部材４の側面における背面側部位、すなわち乳児の頭部を支える側に固定する。第２支持部材４の上面の支持面１４が、本体部材２の周壁部７の縁では支えられない荷重を支持するので、腕に掛かる負担を軽減できる。
【００３６】
第３支持部材５は、ベビーバス使用者が位置する側の側面に取り付けて使用するとよい。第３支持部材５の、取り付け面１３でもある支持面１４が、乳児を出し入れするときに本体部材２の周壁部７に掛かる手前側への荷重を支えて、本体部材２の傾倒を防止できる。同時に、例えばベビーバス使用者の膝に損傷があったりする場合に、支持面１４における面ファスナの他方１５を取り付けていない部分が、膝を弾力的に支持したりして、ベビーバス使用者の負担を軽減する。
【００３７】
このほか、この第３支持部材５は、周壁部７の正面側など他の面に取り付けて使用するもよい。例えば、ヘビーバス１を壁面に凭れ掛けさせて使用する場合などは、図４に示したように上記第１支持部材３が不要となるが、このときに第３支持部材５を周壁部７の正面側に取り付ければ、設置面積を広くしての滑り止めの効果を得られる。
【００３８】
このように、各支持部材３，４，５を必要なとき、必要な箇所に取り付けてベビーバス１を使用するので、情況に合った一番使用しやすい状態のベビーバス１として使用することができる。
【００３９】
また、支持部材３，４，５は一体的に形成されているのではないので、支持部材３，４，５が不要な時には外すことができる。このため嵩張ったりせず、沐浴以外の取り扱い時、例えば洗浄乾燥や持ち運び時等に邪魔になることを防止できる。
【００４０】
しかも、本体部材２も支持部材３，４，５も膨張袋体で形成しているので、持ち運びや非使用時にコンパクトにできて便利である。その上、空気を抜いた状態は図５に示した通り、各部材２，３，４，５は偏平になるとともに、従来例のように不要な突出部分も存在しないので、折り畳み等の作業が簡単である。
【００４１】
また取り付け手段は面ファスナ１１，１５で構成しているので、押付けたり、力を加えて引き離したりするだけで着脱でき、作業は簡単である。
【００４２】
以上はこの発明の一実施の形態であって、この発明は上記構成のみに限定されるものではない。
【００４３】
例えば、支持部材３，４，５を単なる枕状形状などではなく、所期の目的を達せられるよう平らな接地面や凹部、装飾構造などを適宜形成するもよい。
【００４４】
支持面とは反対側の接地面に、別材料のシート部材を貼り付けるなどして滑り止め部を形成するもよい。
【００４５】
また、支持部材３，４，５があれば、膨張袋体で形成されたものであるか硬質材料で形成されたものであるかに関わらず、既存のベビーバスに取り付けて上述のようなベビーバス１を得ることもできる。
【００４６】
支持部材３，４，５を本体部材２に取り付けるための取り付け手段としては、端部にスナップやバックル、面ファスナ等の適宜の係止具を有したバンドを用いての巻きつけや締め付け等で行うもよい。つまり、支持部材３，４，５の取り付け面に取り付け手段を固定しないで、取り付け手段を付属させて取り付けができるようにするもよい。
【図面の簡単な説明】
【図１】ベビーバスの斜視図。
【図２】ベビーバスの断面図。
【図３】ベビーバスの使用状態の側面図。
【図４】ベビーバスの使用状態の側面図。
【図５】ベビーバスの折り畳み状態の斜視図。
【符号の説明】
１…ベビーバス
２…本体部材
３…第１支持部材
４…第２支持部材
５…第３支持部材
６…凹部
７…周壁部
１１…面ファスナの一方
１３…取り付け面
１４…支持面
１５…面ファスナの他方
【図１】
2004166965.tif 000003
【図２】
2004166965.tif 000004
【図３】
2004166965.tif 000005
【図４】
2004166965.tif 000006
【図５】
2004166965.tif 000007